(57)【要約】
【課題】　組立が簡単で且つ収納時に体積を縮小できる電灯のかさを提供する。
【解決手段】　互いに平行する上リング（１０）及び下リング（１１）と、湾曲可能のシートからなるかさ部材（２０）と、中空の連結ロッド（３０）とを備え、下リング（１１）には中央へ向かってスパイダー（１２）が設けられると共に、該スパイダー（１２）は下リング（１１）の中央に設けられる結合プレート（１３）と連結し、かさ部材（２０）は上リング（１０）と下リング（１１）の外側に設けられ、その両側に位置決めロッド（２１）が設けられると共に、かさ部材（２０）における位置決めロッド（２１）の両端に夫々上凹部（２２）と下凹部（２３）が形成され、連結ロッド（３０）の数量はかさ部材（２０）と等しく、該連結ロッド（３０）に位置決めロッド（２１）を内部に嵌入するためのスリット（３１）が形成されると共に、その両端に上リング（１０）と下リング（１１）を固定するための上溝（３２）と下溝（３３）が形成されることを特徴とする。
【選択図】　図１
0003100224.tif 000002
【実用新案登録請求の範囲】
【請求項１】
互いに平行する上リング（１０）及び下リング（１１）と、湾曲可能のシートからなるかさ部材（２０）と、中空の連結ロッド（３０）とを備え、下リング（１１）には中央へ向かってスパイダー（１２）が設けられると共に、該スパイダー（１２）は下リング（１１）の中央に設けられる結合プレート（１３）と連結し、かさ部材（２０）は上リング（１０）と下リング（１１）の外側に設けられ、その両側に位置決めロッド（２１）が設けられると共に、かさ部材（２０）における位置決めロッド（２１）の両端に夫々上凹部（２２）と下凹部（２３）が形成され、連結ロッド（３０）の数量はかさ部材（２０）と等しく、該連結ロッド（３０）に位置決めロッド（２１）を内部に嵌入するためのスリット（３１）が形成されると共に、その両端に上リング（１０）と下リング（１１）を固定するための上溝（３２）と下溝（３３）が形成されることを特徴とする電灯のかさ。
【請求項２】
前記連結ロッド（３０）の両端に位置決め部材（４０）を設けることにより、位置決め部材（４０）を連結ロッド（３０）の両端に固定することを特徴とする請求項１に記載の電灯のかさ。
【請求項３】
前記位置決め部材（４０）の外側に弾性ブロック（４１）が設けられることを特徴とする請求項２に記載の電灯のかさ。
【考案の詳細な説明】
【技術分野】
【０００１】
　本考案は、特に組立が簡単で且つ収納時に体積を縮小できる電灯のかさに関するものである。
【背景技術】
【０００２】
　従来の電灯のかさはテーブルランプの上部に設けることにより、ランプの光を柔らかくすることができると共に、異なる形状のものを用いることにより使用者に異なる視覚を与えることができる。
【考案の開示】
【考案が解決しようとする課題】
【０００３】
　しかしながら、前記従来の電灯のかさは分解不可能な構造であり、運送の時に、体積を縮小させることができないので、非常に不便である。
【０００４】
　そこで、案出されたのが本考案であって、組立が簡単で且つ収納時に体積を縮小できる電灯のかさを提供することを目的としている。
【課題を解決するための手段】
【０００５】
　本願の請求項１の考案は、互いに平行する上リング（１０）及び下リング（１１）と、湾曲可能のシートからなるかさ部材（２０）と、中空の連結ロッド（３０）とを備え、下リング（１１）には中央へ向かってスパイダー（１２）が設けられると共に、該スパイダー（１２）は下リング（１１）の中央に設けられる結合プレート（１３）と連結し、かさ部材（２０）は上リング（１０）と下リング（１１）の外側に設けられ、その両側に位置決めロッド（２１）が設けられると共に、かさ部材（２０）における位置決めロッド（２１）の両端に夫々上凹部（２２）と下凹部（２３）が形成され、連結ロッド（３０）の数量はかさ部材（２０）と等しく、該連結ロッド（３０）に位置決めロッド（２１）を内部に嵌入するためのスリット（３１）が形成されると共に、その両端に上リング（１０）と下リング（１１）を固定するための上溝（３２）と下溝（３３）が形成されることを特徴とする電灯のかさ及び、
　本願の請求項２の考案は、前記連結ロッド（３０）の両端に位置決め部材（４０）を設けることにより、位置決め部材（４０）を連結ロッド（３０）の両端に固定することを特徴とする請求項１に記載の電灯のかさ及び、
　本願の請求項３の考案は、前記位置決め部材（４０）の外側に弾性ブロック（４１）が設けられることを特徴とする請求項２に記載の電灯のかさ、
を提供する。
【考案の効果】
【０００６】
　本考案は上記の課題を解決するため、分解可能のかさ部材、上リング、下リング及び連結ロッドによって運送又は収蔵する場合に、電灯のかさの各部材を分解することにより、運送又は収蔵体積を有効的に縮減することができ、使用する際、組立簡単であるので、非常に便利である。
【考案を実施するための最良の形態】
【０００７】
　以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
　図１は本考案に係る電灯のかさの斜視図であり、図２は本考案に係る電灯のかさの一部分解斜視図であり、図３は本考案に係る電灯のかさの一部断面図であり、図４は本考案に係る電灯のかさを分解した状態を示す斜視図である。
【０００９】
　図１乃至図３に示すように、本考案に係る電灯のかさは互いに平行する上リング（１０）と下リング（１１）とを有し、下リング（１１）には中央へ向かって三本のスパイダー（１２）が設けられると共に、該スパイダー（１２）が夫々下リング（１１）の中央に設けられる結合プレート（１３）と連結する。
【００１０】
　一個以上のかさ部材（２０）（本実施例では三個である）は上リング（１０）と下リング（１１）の外側に設けられ、該かさ部材（２０）は湾曲可能のシートであり、その両側に位置決めロッド（２１）が設けられると共に、かさ部材（２０）における位置決めロッド（２１）の両端に夫々上凹部（２２）と下凹部（２３）が形成される。
【００１１】
　上リング（１０）と下リング（１１）との間にかさ部材（２０）の数量と等しく、且つ相隣のかさ部材（２０）における位置決めロッド（２１）の間に設置する連結ロッド（３０）（本実施例では三本である）が設けられ、該連結ロッド（３０）に位置決めロッド（２１）を内部に嵌入するためのスリット（３１）が形成されると共に、その両端に上リング（１０）と下リング（１１）を固定するための上溝（３２）と下溝（３３）が形成される。
【００１２】
　前記連結ロッド（３０）の両端に夫々外側に弾性ブロック（４１）を有する位置決め部材（４０）が設けることにより、位置決め部材（４０）を連結ロッド（３０）の両端に固定する。
【００１３】
　図４に示すように、本考案に係る電灯のかさを運送する際、かさ部材（２０）を水平状に開け、上リング（１０）、下リング（１１）及び連結ロッド（３０）をかさ部材（２０）の上面に置き、位置決め部材（４０）を袋に集中することにより、運送又は収納体積を縮小することができる。
【００１４】
　又、図１乃至図３に示すように、本考案に係る電灯のかさを組立てる際、かさ部材（２０）の両端における位置決めロッド（２１）を互いに併合して夫々連結ロッド（３０）のスリット（３１）に挿入し、更に下リング（１１）を連結ロッド（３０）の下溝（３３）に嵌合すると共に、上リング（１０）を上溝（３２）に嵌合し、最後に、位置決め部材（４０）を夫々連結ロッド（３０）の両端に挿入することにより、かさ部材（２０）の位置決めロッド（２１）を連結ロッド（３０）の内部に固定する。かさ部材（２０）は湾曲するように連結ロッド（３０）に位置決められ、下リング（１１）の結合プレート（１３）にランプ（５０）が設けられると共に、下方に灯座（５１）が設置することにより、組立簡単の灯具になる。
【産業上の利用可能性】
【００１５】
　本考案は上記の構成を有するので、分解可能のかさ部材、上リング、下リング及び連結ロッドによって運送又は収納する場合に、電灯のかさの各部材を分解することにより、運送又は収納体積を縮小することができ、使用する際、組立が簡単であるので、非常に便利である。
【図面の簡単な説明】
【００１６】
【図１】本考案に係る電灯のかさの斜視図である。
【図２】本考案に係る電灯のかさの一部分解斜視図である。
【図３】本考案に係る電灯のかさの一部断面図である。
【図４】本考案に係る電灯のかさを分解した状態を示す斜視図である。
【符号の説明】
【００１７】
　１０　　　　上リング
　１１　　　　下リング
　１２　　　　スパイダー
　１３　　　　結合プレート
　２０　　　　かさ部材
　２１　　　　位置決めロッド
　２２　　　　上凹部
　２３　　　　下凹部
　３０　　　　連結ロッド
　３１　　　　スリット
　３２　　　　上溝
　３３　　　　下溝
　４０　　　　位置決め部材
　４１　　　　弾性ブロック
　５０　　　　ランプ
　５１　　　　灯座
【図１】
0003100224.tif 000003
【図２】
0003100224.tif 000004
【図３】
0003100224.tif 000005
【図４】
0003100224.tif 000006